(57)【要約】    【課題】  プロジェクタの使用環境に応じて環境条件を設定する作業の煩わしさを解消することができ、使い勝手の良いプロジェクタを提供する。    【解決手段】  画像情報に応じて画像光を投写する投写光学ユニット１０と、複数の操作ボタンが配列された操作パネル部本体６２及び操作パネル部本体６２に配設方向自在に配設され複数の操作ボタンのそれぞれに割り当てられる機能の名称を表示する操作ボタン機能名称表示部材６４を有する操作パネル部６０と、操作ボタン機能名称表示部材６４の配設方向を識別する配設方向識別手段５０と、動作モード選択手段としての表示モード選択手段３２とを備え、表示モード選択手段３２は、配設方向識別手段５０によって識別された操作ボタン機能名称表示部材６４の配設方向に係る情報に基づいて、プロジェクタ１を据え置きモード及び天吊りモードのうちいずれの表示モードで使用するかを選択する機能を有するプロジェクタ１。【選択図】  図１
2006349893.tif 000002
【特許請求の範囲】
【請求項１】
画像情報に応じて画像光を投写する投写光学ユニットと、
複数の操作ボタンが配列された操作パネル部本体及び前記操作パネル部本体に配設方向自在に配設され前記複数の操作ボタンのそれぞれに割り当てられる機能の名称を表示する操作ボタン機能名称表示部材を有する操作パネル部と、
前記操作ボタン機能名称表示部材の配設方向を識別する配設方向識別手段と、
プロジェクタの動作モードを選択する動作モード選択手段とを備え、
前記動作モード選択手段は、前記配設方向識別手段によって識別された前記操作ボタン機能名称表示部材の配設方向に係る情報に基づいて、プロジェクタの動作モードを選択する機能を有することを特徴とするプロジェクタ。
【請求項２】
請求項１に記載のプロジェクタにおいて、
前記動作モード選択手段は、前記配設方向識別手段によって識別された前記操作ボタン機能名称表示部材の配設方向に係る情報に基づいて、プロジェクタを据え置きモード及び天吊りモードのうちいずれの表示モードで使用するかを選択する機能を有する表示モード選択手段であることを特徴とするプロジェクタ。
【請求項３】
請求項１に記載のプロジェクタにおいて、
前記動作モード選択手段は、前記配設方向識別手段によって識別された前記操作ボタン機能名称表示部材の配設方向に係る情報に基づいて、メニュー画面における表示言語を選択する機能を有する表示言語選択手段であることを特徴とするプロジェクタ。
【請求項４】
請求項１に記載のプロジェクタにおいて、
前記操作ボタン機能名称表示部材として、前記複数の操作ボタンのそれぞれに割り当てられる機能の名称がそれぞれ異なる言語で表示された複数の操作ボタン機能名称表示部材を有し、
前記配設方向識別手段は、前記操作パネル部本体に配設された操作ボタン機能名称表示部材の種別を識別する機能をさらに有し、
前記動作モード選択手段は、前記配設方向識別手段によって識別された前記操作ボタン機能名称表示部材の配設方向及び／又は種別に係る情報に基づいて、メニュー画面における表示言語を選択する機能を有する表示言語選択手段であることを特徴とするプロジェクタ。
【請求項５】
請求項１〜４のいずれかに記載のプロジェクタにおいて、
前記複数の操作ボタンのそれぞれに対して機能を割り当てる操作ボタン機能割り当て手段をさらに備え、
前記操作ボタン機能割り当て手段は、前記配設方向識別手段によって識別された前記操作ボタン機能名称表示部材の配設方向に係る情報に基づいて、前記複数の操作ボタンのそれぞれに対して機能を割り当てる機能を有することを特徴とするプロジェクタ。
【請求項６】
請求項１〜５のいずれかに記載のプロジェクタにおいて、
前記配設方向識別手段は、
前記操作ボタン機能名称表示部材に配設され前記操作ボタン機能名称表示部材の配設方向を識別するために用いる被識別部と、
前記操作パネル部本体に配設され前記被識別部の有無及び／又は特徴を検出するための検出部とを有することを特徴とするプロジェクタ。
【請求項７】
請求項６に記載のプロジェクタにおいて、
前記検出部によって前記被識別部が検出されないときに、前記複数の操作ボタンによる操作の受付けを禁止する操作受付け禁止手段をさらに備えることを特徴とするプロジェクタ。
【請求項８】
請求項１〜７のいずれかに記載のプロジェクタにおいて、
前記操作パネル部本体には、前記操作ボタン機能名称表示部材を保持するための保持部が形成されていることを特徴とするプロジェクタ。
【請求項９】
請求項１〜８のいずれかに記載のプロジェクタにおいて、
前記操作ボタン機能名称表示部材には、前記複数の操作ボタンに対応する位置に複数の操作ボタン穴が形成されていることを特徴とするプロジェクタ。
【請求項１０】
請求項９に記載のプロジェクタにおいて、
前記複数の操作ボタン穴は、前記操作ボタン機能名称表示部材において１８０度回転対称に設けられていることを特徴とするプロジェクタ。
【請求項１１】
請求項１〜８のいずれかに記載のプロジェクタにおいて、
前記操作ボタン機能名称表示部材には、前記複数の操作ボタンのうち所定の操作ボタンに対応する位置に複数の操作ボタン穴が形成され、前記所定の操作ボタンのみ押下可能となるように構成されていることを特徴とするプロジェクタ。
【請求項１２】
画像情報に応じて画像光を投写する投写光学ユニットと、
複数の操作ボタンが配列された操作パネル部本体及び前記操作パネル部本体に着脱可能に構成され前記複数の操作ボタンのそれぞれに割り当てられる機能の名称を表示する複数の操作ボタン機能名称表示部材を有する操作パネル部と、
前記操作ボタン機能名称表示部材の種別を識別する種別識別手段と、
プロジェクタの動作モードを選択する動作モード選択手段とを備え、
前記動作モード選択手段は、前記種別識別手段によって識別された前記操作ボタン機能名称表示部材の種別に係る情報に基づいて、プロジェクタの動作モードを選択する機能を有することを特徴とするプロジェクタ。
【請求項１３】
請求項１２に記載のプロジェクタにおいて、
前記動作モード選択手段は、前記種別識別手段によって識別された前記操作ボタン機能名称表示部材の種別に係る情報に基づいて、メニュー画面における表示言語を選択する機能を有する表示言語選択手段であることを特徴とするプロジェクタ。
【請求項１４】
請求項１２に記載のプロジェクタにおいて、
前記動作モード選択手段は、前記種別識別手段によって識別された前記操作ボタン機能名称表示部材の種別に係る情報に基づいて、プロジェクタを簡単操作モード及び詳細操作モードのうちいずれの動作モードで使用するかを選択する機能を有する動作モード選択手段であることを特徴とするプロジェクタ。
【請求項１５】
請求項１２に記載のプロジェクタにおいて、
前記動作モード選択手段は、前記種別識別手段によって識別された前記操作ボタン機能名称表示部材の種別に係る情報に基づいて、プロジェクタを設定モード及び通常使用モードのうちいずれの動作モードで使用するかを選択する機能を有する動作モード選択手段であることを特徴とするプロジェクタ。
【発明の詳細な説明】
【技術分野】
【０００１】
本発明は、プロジェクタに関する。 
【背景技術】
【０００２】
従来、筐体に操作パネル部が配設されたプロジェクタが知られている（例えば、特許文献１参照。）。ユーザは、操作パネル部における操作によってオンスクリーン表示されたメニュー画面から各種の設定画面を呼び出したり、各種項目を選択・変更等したりすることにより、プロジェクタの使用環境に応じた環境条件を設定している。
【０００３】
例えば、プロジェクタを机の上などに載置した状態（以下、据え置き状態という。）で使用する場合には、スクリーン上にオンスクリーン表示されたメニュー画面から「据え置きモード」を選択し、プロジェクタの天地を逆向きにして天井から吊り下げた状態（以下、天吊り状態という。）で使用する場合には、スクリーン上にオンスクリーン表示されたメニュー画面から「据え置きモード」を選択するなど、プロジェクタの表示モードの設定変更を行っている。また、メニュー画面等を日本語で表示させる場合には、スクリーン上にオンスクリーン表示されたメニュー画面から「日本語表示モード」を選択し、メニュー画面等を英語で表示させる場合には、スクリーン上にオンスクリーン表示されたメニュー画面から「英語表示モード」を選択するなど、表示言語の設定変更を行っている。
【０００４】
なお、この明細書において「据え置きモード」とは、プロジェクタを据え置き状態で使用する際に正常な向きの画像がスクリーンに表示される表示モードのことであり、「天吊りモード」とは、プロジェクタを天吊り状態で使用する際に正常な向きの画像がスクリーンに表示される表示モードのことである。
また、この明細書において「日本語表示モード」とは、メニュー画面等における単語や文章が日本語で表示される表示モードのことであり、「英語表示モード」とは、メニュー画面等における単語や文章が英語で表示される表示モードのことである。
【０００５】
【特許文献１】特開２００４−２７２０９１号公報
【発明の開示】
【発明が解決しようとする課題】
【０００６】
ところで、従来のプロジェクタにおいては、以下のような問題がある。
図１０は、従来のプロジェクタ９における問題点を説明するために示す図である。図１０（ａ）はプロジェクタ９を据え置き状態で使用する場合においてスクリーンＳＣＲに表示される画像を示す図であり、図１０（ｂ）はそのときの操作パネル部１６０を示す図であり、図１０（ｃ）はプロジェクタ９を天吊り状態で使用する場合においてスクリーンＳＣＲに表示される画像を示す図であり、図１０（ｄ）はそのときの操作パネル部１６０を示す図である。
【０００７】
例えば据え置き状態で使用していたものを天吊り状態で使用するような場合、従来のプロジェクタ９によれば、スクリーンＳＣＲ上にオンスクリーン表示されたメニュー画面を用いて、表示モードを「据え置きモード」から「天吊りモード」に選択し直す必要がある。このとき、従来のプロジェクタ９においては、図１０（ｃ）に示すように、スクリーンＳＣＲに表示されるメニュー画面の上下左右方向が反転しているため、画面が見づらく、ユーザにとって表示モードの設定を変更するのが非常に煩わしいものとなり、使い勝手の悪いものとなってしまう。
【０００８】
また、従来のプロジェクタ９においては、プロジェクタの操作パネル部は、図１０（ｂ）及び図１０（ｄ）からもわかるように、据え置き状態のときと天吊り状態のときとでは操作ボタンのレイアウトが異なることとなるため、ユーザにとって表示モードの設定を変更するのが非常に煩わしいものとなり、使い勝手の悪いものとなってしまう。
【０００９】
このことをより具体的に説明すると、プロジェクタを設計するにあたっては、ユーザの利便性を考慮して、操作パネル部の上方には上ボタン（上方向に表示カーソルを動かす機能が割り当てられた操作ボタン）を配置し、操作パネル部の下方には下ボタン（下方向に表示カーソルを動かす機能が割り当てられた操作ボタン）を配置するなど、操作パネルにおける上下左右方向と各操作ボタン（この場合、各方向に表示カーソルを動かす機能が割り当てられた操作ボタンのことを指す。）の配置とを対応させるのが一般的である。しかしながら、従来のプロジェクタ９の場合には、図１０（ｄ）に示すように、天吊り状態のときの操作パネル部１６０における上下左右方向と各操作ボタンの配置とが対応していないため、ユーザは違和感を覚えながら表示モードの設定を変更しなければならず、煩わしさを感じてしまう。
【００１０】
このため、従来のプロジェクタ９においては、プロジェクタの使用環境に応じて表示モードを設定する作業が非常に煩わしくなるという問題（第１の問題）がある。
【００１１】
ところで、複数言語対応のプロジェクタでは、ユーザの利便性を考慮して、オンスクリーン表示されるメニュー画面等の表示言語を任意に選択することが可能である。表示言語としては、例えば日本語、英語、欧州各国語、中国語、韓国語などの多くの言語が用意されており、メニュー画面からユーザが希望する言語を選択することが可能である。
しかしながら、操作パネル部における各操作ボタン（各操作ボタンの近傍）において、操作ボタンに割り当てられた機能（例えば、電源、決定、ヘルプなど。）を示すために表示された名称は、通常１種類の言語（例えば、日本語。）で表示されており、選択可能な表示言語すべてに対応して表示されているわけではない。このため、ユーザの希望する言語と異なる言語で各操作ボタンの名称が表示されている場合には、ユーザにとっては、各操作ボタンに割り当てられた機能を理解することが困難であるため、メニュー画面からユーザが希望する言語を選択することは容易ではない。その結果、そのようなプロジェクタはユーザにとって不便で使い勝手の悪いものとなってしまう。
【００１２】
そこで、各操作ボタンの名称を選択可能なすべての表示言語で表示することが考えられる。しかしながら、操作パネル部の大きさに一定の制約がある以上、各操作ボタンの名称を表示するために使用可能な面積にも限りがあり、さらにユーザが目視できるように操作ボタンの名称として表示される文字の大きさを一定以上の大きさにしなければならない。このため、各操作ボタンの名称を選択可能なすべての表示言語で表示することは、非現実的なものである。
【００１３】
このため、複数言語対応のプロジェクタにおいても、従来のプロジェクタが抱える問題と同様に、プロジェクタの使用環境に応じて表示言語を設定する作業が不便で使い勝手が悪いという問題（第２の問題）がある。
【００１４】
上記した２つの問題に共通することは、プロジェクタの使用環境に応じて環境条件を設定するにあたり、各種の動作モードを選択する作業が非常に煩わしいために、プロジェクタの使い勝手が悪くなってしまっているということである。
【００１５】
そこで、本発明は、このような問題を解決するためになされたもので、上記した問題を解決して、プロジェクタの使用環境に応じて環境条件を設定する作業の煩わしさを解消することができ、使い勝手の良いプロジェクタを提供することを目的とする。
【００１６】
なお、この明細書において「動作モード」とは、据え置きモード又は天吊りモードだけではなく、日本語表示モード、英語表示モード又はその他の言語による表示モードなどもすべて含む上位概念化された言葉である。
【課題を解決するための手段】
【００１７】
本発明のプロジェクタは、画像情報に応じて画像光を投写する投写光学ユニットと、複数の操作ボタンが配列された操作パネル部本体及び前記操作パネル部本体に配設方向自在に配設され前記複数の操作ボタンのそれぞれに割り当てられる機能の名称を表示する操作ボタン機能名称表示部材を有する操作パネル部と、前記操作ボタン機能名称表示部材の配設方向を識別する配設方向識別手段と、プロジェクタの動作モードを選択する動作モード選択手段とを備え、前記動作モード選択手段は、前記配設方向識別手段によって識別された前記操作ボタン機能名称表示部材の配設方向に係る情報に基づいて、プロジェクタの動作モードを選択する機能を有することを特徴とする。
【００１８】
このため、本発明のプロジェクタによれば、操作パネル部本体に配設方向自在に配設可能な操作ボタン機能名称表示部材及び操作ボタン機能名称表示部材の配設方向を識別する配設方向識別手段を備えるとともに、動作モード選択手段は、配設方向識別手段によって識別された操作ボタン機能名称表示部材の配設方向に係る情報に基づいて、プロジェクタの動作モードを選択する機能を有するため、操作ボタン機能名称表示部材の配設方向を適宜変更して配設するだけで、自動的に所望の動作モードが選択されることとなる。つまり、プロジェクタの使用環境に応じて環境条件を設定するにあたり、メニュー画面からいちいち動作モードを選択し直す必要が無くなるため、環境条件の設定を変更する作業の省力化を図ることができ、ユーザは煩わしさを感じずに環境条件の設定を変更することが可能となる。
【００１９】
このため、本発明のプロジェクタは、プロジェクタの使用環境に応じて環境条件を設定する作業の煩わしさを解消することができ、使い勝手の良いプロジェクタとなる。
【００２０】
本発明のプロジェクタにおいては、操作ボタン機能名称表示部材の配設方向としては、操作ボタン機能名称表示部材を１８０度回転させて配設することも可能であるし、９０度回転させて配設することも可能であるし、操作ボタン機能名称表示部材の表裏を反対にして（操作ボタン機能名称表示部材の上下を反転させて又は左右を反転させて）配設することも可能である。
【００２１】
本発明のプロジェクタにおいては、前記動作モード選択手段は、前記配設方向識別手段によって識別された前記操作ボタン機能名称表示部材の配設方向に係る情報に基づいて、プロジェクタを据え置きモード及び天吊りモードのうちいずれの表示モードで使用するかを選択する機能を有する表示モード選択手段であることが好ましい。
【００２２】
このように構成することにより、操作ボタン機能名称表示部材の配設方向を適宜変更して配設するだけで、自動的に所望の表示モードが選択され正常な向きの画像が投写面に表示されることとなる。つまり、メニュー画面からいちいち表示モードを選択し直す必要がなくなるため、表示モードの設定を変更する作業の省力化を図ることができ、ユーザは煩わしさを感じずに表示モードの設定を変更することが可能となる。
【００２３】
このため、本発明のプロジェクタは、プロジェクタの使用環境に応じて表示モードを設定する作業の煩わしさを解消することができ、使い勝手の良いプロジェクタとなる。
【００２４】
本発明のプロジェクタにおいては、前記動作モード選択手段は、前記配設方向識別手段によって識別された前記操作ボタン機能名称表示部材の配設方向に係る情報に基づいて、メニュー画面における表示言語を選択する機能を有する表示言語選択手段であることが好ましい。
【００２５】
このように構成することにより、操作ボタン機能名称表示部材の配設方向を適宜変更して配設するだけで、自動的に所望の表示言語が選択され、その言語でメニュー画面が表示されることとなる。つまり、メニュー画面からいちいち表示言語を選択し直す必要がなくなるため、表示言語の設定を変更する作業の省力化を図ることができ、ユーザは煩わしさを感じずに表示言語の設定を変更することが可能となる。
【００２６】
このため、本発明のプロジェクタは、プロジェクタの使用環境に応じて表示言語を設定する作業の煩わしさを解消することができ、使い勝手の良いプロジェクタとなる。
【００２７】
本発明のプロジェクタにおいては、前記操作ボタン機能名称表示部材として、前記複数の操作ボタンのそれぞれに割り当てられる機能の名称がそれぞれ異なる言語で表示された複数の操作ボタン機能名称表示部材を有し、前記配設方向識別手段は、前記操作パネル部本体に配設された操作ボタン機能名称表示部材の種別を識別する機能をさらに有し、前記動作モード選択手段は、前記配設方向識別手段によって識別された前記操作ボタン機能名称表示部材の配設方向及び／又は種別に係る情報に基づいて、メニュー画面における表示言語を選択する機能を有する表示言語選択手段であることが好ましい。
【００２８】
このように構成することにより、それぞれ異なる言語で表示された複数の操作ボタン機能名称表示部材の中から目的となる表示言語で表示された操作ボタン機能名称表示部材を選択し、これを適切な配設方向で配設するだけで、自動的に所望の表示言語が選択され、その言語でメニュー画面が表示されることとなる。このため、表示言語の設定を変更する作業の省力化を図ることができ、ユーザは煩わしさを感じずに表示言語の設定を変更することが可能となる。
【００２９】
このため、本発明のプロジェクタは、プロジェクタの使用環境に応じて表示言語を設定する作業の煩わしさを解消することができ、使い勝手の良いプロジェクタとなる。また、多数の国の言語に対して容易に対応することが可能な優れたプロジェクタとなる。
【００３０】
また、本発明のプロジェクタによれば、複数の操作ボタンのそれぞれに割り当てられる機能の名称（以下、操作ボタン名称という。）がそれぞれ異なる言語で表示された複数の操作ボタン機能名称表示部材を有するため、１つの操作ボタン機能名称表示部材に対しては１種類の言語で操作ボタン名称を表示すればよくなる。このため、操作ボタン機能名称表示部材全体の面積に対する操作ボタン名称を表示するために使用する面積を小さくすることができ、各操作ボタンの大きさ及び操作ボタン名称の文字の大きさに関する自由度を増すことができる。例えば、操作ボタンの大きさを大きくすることにより、操作ボタンの操作性を向上することができ、操作ボタン名称の文字の大きさを大きくすることにより、例えば高齢者など視力が低下した人も煩わしさを感じることなく、操作ボタンを容易に操作することができるようになる。このため、本発明のプロジェクタは、さらに使い勝手の良いプロジェクタとなる。
【００３１】
本発明のプロジェクタにおいては、前記複数の操作ボタンのそれぞれに対して機能を割り当てる操作ボタン機能割り当て手段をさらに備え、前記操作ボタン機能割り当て手段は、前記配設方向識別手段によって識別された前記操作ボタン機能名称表示部材の配設方向に係る情報に基づいて、前記複数の操作ボタンのそれぞれに対して機能を割り当てる機能を有することが好ましい。
【００３２】
このように構成することにより、プロジェクタの使用環境が変わったとしても、操作ボタン機能名称表示部材の配設方向を適宜変更して配設するだけで、ユーザから見た操作ボタンのレイアウトを同じ状態のままとすることが可能となるとともに、操作ボタン機能名称表示部材に表示されている名称と複数の操作ボタンのそれぞれに割り当てられた機能とを同じとすることが可能となる。このため、ユーザは操作ボタンのレイアウトに対して違和感を感じることもなく、また操作ボタンを押す際に不要な混乱を生ずることもなく、煩わしさを感じずに環境条件の設定を変更することが可能となる。
【００３３】
例えば、据え置き状態で使用していたプロジェクタを天吊り状態で使用する場合、据え置き状態から天吊り状態へとプロジェクタの使用環境が変わったとしても、操作ボタン機能名称表示部材の配設方向を適宜変更して配設するだけで、ユーザから見た操作ボタンのレイアウトを同じ状態のままとすることが可能となるとともに、操作ボタン機能名称表示部材に表示されている名称と複数の操作ボタンのそれぞれに割り当てられた機能とを同じとすることが可能となる。このため、従来のプロジェクタ９における問題点として上述したような、据え置き状態で使用していたものを天吊り状態で使用することによって天吊り状態のときの操作パネル部における上下左右方向と各操作ボタンの配置とが対応しなくなるという問題を解消することができる。すなわち、ユーザは操作ボタンのレイアウトに対して違和感を感じることもなく、また操作ボタンを押す際に不要な混乱を生ずることもなく、煩わしさを感じずに表示モードの設定を変更することが可能となる。
【００３４】
本発明のプロジェクタにおいては、前記配設方向識別手段は、前記操作ボタン機能名称表示部材に配設され前記操作ボタン機能名称表示部材の配設方向を識別するために用いる被識別部と、前記操作パネル部本体に配設され前記被識別部の有無及び／又は特徴を検出するための検出部とを有することが好ましい。
【００３５】
このように構成することにより、検出部が被識別部の有無及び／又は特徴を検出することで、操作ボタン機能名称表示部材の配設方向を容易に識別することが可能となる。
【００３６】
本発明のプロジェクタにおいては、前記被識別部としては、前記検出部によって検出することができる構造を有しているものであればよく、例えば、配設方向識別用の突起部、穴又は凹部を有する構造の被識別部であってもよいし、検出部によって識別可能な配色が施された被識別部であってもよい。
【００３７】
また、本発明のプロジェクタにおいては、前記検出部としては、前記被識別部を検出することが可能なものであればよく、例えば、接触スイッチや光センサなどの公知の検出手段を用いることができる。
【００３８】
本発明のプロジェクタにおいては、前記検出部によって前記被識別部が検出されないときに、前記複数の操作ボタンによる操作の受付けを禁止する操作受付け禁止手段をさらに備えることが好ましい。
【００３９】
このように構成することにより、検出部によって被識別部が検出されないときに、操作ボタンによる操作の受付けを禁止することが可能となるため、他者によるプロジェクタの誤操作を防止することなどが可能となる。例えば、用事があってユーザがプロジェクタから離れてしまうような場合に、操作ボタン機能名称表示部材を操作パネル部本体から取り外すことによって、たとえ他人が操作ボタンを押したとしてもプロジェクタを操作できないようにすることが可能となる。
【００４０】
本発明のプロジェクタにおいては、前記操作パネル部本体には、前記操作ボタン機能名称表示部材を保持するための保持部が形成されていることが好ましい。
【００４１】
このように構成することにより、操作パネル部本体に配設された操作ボタン機能名称表示部材をより確実に保持することができるようになる。
【００４２】
本発明のプロジェクタにおいては、前記操作ボタン機能名称表示部材には、前記保持部に対応する被保持部が形成されていることが好ましい。
【００４３】
本発明のプロジェクタにおいては、前記操作ボタン機能名称表示部材には、前記複数の操作ボタンに対応する位置に複数の操作ボタン穴が形成されていることが好ましい。
【００４４】
このように構成することにより、操作ボタンをスムーズに操作することが可能となり、さらに使い勝手の良いプロジェクタとなる。
【００４５】
本発明のプロジェクタにおいては、前記複数の操作ボタン穴は、前記操作ボタン機能名称表示部材において１８０度回転対称に設けられていることが好ましい。
【００４６】
このように構成することにより、プロジェクタの使用環境が変わったとしても、操作ボタン機能名称表示部材の配設方向を１８０度回転させて配設することにより、操作ボタンのレイアウトをもとの使用環境の場合と同じ状態のままとすることが可能となる。このため、ユーザは違和感を感じずに環境条件の設定を変更することが可能となり、さらに使い勝手の良いものとなる。
【００４７】
本発明のプロジェクタにおいては、前記操作ボタン機能名称表示部材には、前記複数の操作ボタンのうち所定の操作ボタンに対応する位置に複数の操作ボタン穴が形成され、前記所定の操作ボタンのみ押下可能となるように構成されていることが好ましい。
【００４８】
このように構成することにより、操作ボタン機能名称表示部材の配設方向や種別を変更することにより、押下可能とする操作ボタンを適宜変更することができるようになるため、操作ボタンの機能の割り当てやレイアウトの自由度を高めることができる。
【００４９】
本発明の他のプロジェクタは、画像情報に応じて画像光を投写する投写光学ユニットと、複数の操作ボタンが配列された操作パネル部本体及び前記操作パネル部本体に着脱可能に構成され前記複数の操作ボタンのそれぞれに割り当てられる機能の名称を表示する複数の操作ボタン機能名称表示部材を有する操作パネル部と、前記操作ボタン機能名称表示部材の種別を識別する種別識別手段と、プロジェクタの動作モードを選択する動作モード選択手段とを備え、前記動作モード選択手段は、前記種別識別手段によって識別された前記操作ボタン機能名称表示部材の種別に係る情報に基づいて、プロジェクタの動作モードを選択する機能を有することを特徴とする。
【００５０】
このため、本発明の他のプロジェクタによれば、操作パネル部本体に着脱可能に構成された複数の操作ボタン機能名称表示部材及び操作ボタン機能名称表示部材の種別を識別する種別識別手段を備えるとともに、動作モード選択手段は、種別識別手段によって識別された操作ボタン機能名称表示部材の種別に係る情報に基づいて、プロジェクタの動作モードを選択する機能を有するため、操作ボタン機能名称表示部材の種別を適宜変更して配設するだけで、自動的に所望の動作モードが選択されることとなる。つまり、プロジェクタの使用環境に応じて環境条件を設定するにあたり、メニュー画面からいちいち動作モードを選択し直す必要が無くなるため、環境条件の設定を変更する作業の省力化を図ることができ、ユーザは煩わしさを感じずに環境条件の設定を変更することが可能となる。
【００５１】
このため、本発明の他のプロジェクタは、本発明のプロジェクタの場合と同様に、プロジェクタの使用環境に応じて環境条件を設定する作業の煩わしさを解消することができ、使い勝手の良いプロジェクタとなる。
【００５２】
本発明の他のプロジェクタにおいては、前記動作モード選択手段は、前記種別識別手段によって識別された前記操作ボタン機能名称表示部材の種別に係る情報に基づいて、メニュー画面における表示言語を選択する機能を有する表示言語選択手段であることが好ましい。
【００５３】
このように構成することにより、操作ボタン機能名称表示部材の種別を適宜変更して配設するだけで、自動的に所望の表示言語が選択され、その言語でメニュー画面が表示されることとなる。つまり、メニュー画面からいちいち表示言語を選択し直す必要がなくなるため、表示言語の設定を変更する作業の省力化を図ることができ、ユーザは煩わしさを感じずに表示言語の設定を変更することが可能となる。
【００５４】
このため、本発明の他のプロジェクタは、本発明のプロジェクタの場合と同様に、プロジェクタの使用環境に応じて表示言語を設定する作業の煩わしさを解消することができ、使い勝手の良いプロジェクタとなる。
【００５５】
本発明の他のプロジェクタにおいては、前記動作モード選択手段は、前記種別識別手段によって識別された前記操作ボタン機能名称表示部材の種別に係る情報に基づいて、プロジェクタを簡単操作モード及び詳細操作モードのうちいずれの動作モードで使用するかを選択する機能を有する動作モード選択手段であることが好ましい。
【００５６】
ここで、この明細書において「簡単操作モード」とは、プロジェクタの操作に不慣れな者のために用意された動作モードのことであり、プロジェクタを使用する際に可能な操作のうち必要最小限の操作しか受け付けず、簡単な操作を可能とするよう設定がなされる動作モードのことである。また、「詳細操作モード」とは、プロジェクタの操作にある程度慣れた者のために用意された動作モードのことであり、プロジェクタを使用する際に可能な操作のほぼすべてを受け付け、詳細な操作を可能とするよう設定がなされる動作モードのことである。
【００５７】
上記のように構成することにより、操作ボタン機能名称表示部材の種別を適宜変更して配設するだけで、簡単操作モード及び詳細操作モードのうち所望の動作モードが自動的に選択されることとなる。このため、本発明の他のプロジェクタは、ユーザのプロジェクタに対する習熟度に対応した使い勝手の良いプロジェクタとなる。
【００５８】
本発明の他のプロジェクタにおいては、前記動作モード選択手段は、前記種別識別手段によって識別された前記操作ボタン機能名称表示部材の種別に係る情報に基づいて、プロジェクタを設定モード及び通常使用モードのうちいずれの動作モードで使用するかを選択する機能を有する動作モード選択手段であることが好ましい。
【００５９】
ここで、この明細書において「設定モード」とは、プロジェクタについてより高度な設定（例えば、色合い設定、解像度設定など。）を行うための動作モードのことである。また、「通常使用モード」とは、映画鑑賞やプレゼンテーションなどでプロジェクタをそのまま使用するときに適した動作モードのことである。
【００６０】
上記のように構成することにより、操作ボタン機能名称表示部材の種別を適宜変更して配設するだけで、設定モード及び通常使用モードのうち所望の動作モードが自動的に選択されることとなる。このため、本発明の他のプロジェクタは、ユーザの使用態様に対応した使い勝手の良いプロジェクタとなる。
【００６１】
本発明の他のプロジェクタにおいては、前記複数の操作ボタン機能名称表示部材のそれぞれには、前記複数の操作ボタンのうち所定の操作ボタンに対応する位置に複数の操作ボタン穴が形成され、前記所定の操作ボタンのみ押下可能となるように構成されていることが好ましい。
【００６２】
このように構成することにより、操作ボタン機能名称表示部材の種別を変更することにより、押下可能とする操作ボタンを適宜変更することができるようになるため、操作ボタンの機能の割り当てやレイアウトの自由度を高めることができる。
【発明を実施するための最良の形態】
【００６３】
以下、本発明のプロジェクタについて、図に示す実施の形態に基づいて説明する。
【００６４】
［実施形態１］
図１は、実施形態１に係るプロジェクタ１を説明するために示す機能ブロック図である。図２〜図４は、実施形態１に係るプロジェクタ１を説明するために示す図である。図２（ａ）はプロジェクタ１を背面から見た斜視図であり、図２（ｂ）は図２（ａ）の操作パネル部６０を拡大して示す図である。図３（ａ）は操作パネル部本体６２を示す図であり、図３（ｂ）は図３（ａ）のＡ−Ａ断面図であり、図３（ｃ）は操作ボタン機能名称表示部材６４を正面から見た図である。図４（ａ）はプロジェクタ１を据え置き状態で使用する場合においてスクリーンＳＣＲに表示される画像を示す図であり、図４（ｂ）はそのときの操作パネル部６０を示す図であり、図４（ｃ）はプロジェクタを天吊り状態で使用する場合においてスクリーンＳＣＲに表示される画像を示す図であり、図４（ｄ）はそのときの操作パネル部６０を示す図である。
【００６５】
実施形態１に係るプロジェクタ１は、図１に示すように、画像情報に応じて画像光を投写する投写光学ユニット１０を備え、投写光学ユニット１０は筐体９０内に収納されている。
【００６６】
投写光学ユニット１０は、光源装置１２を含む照明装置１４と、照明装置１４から射出される照明光束を色分離して被照明領域に導光する色分離導光光学系１６と、色分離導光光学系１６で分離された３つの色光のそれぞれを画像情報に応じて変調する電気光学変調装置としての３つの液晶装置１８Ｒ，１８Ｇ，１８Ｂと、各液晶装置１８Ｒ，１８Ｇ，１８Ｂによって変調された色光を合成するクロスダイクロイックプリズム２０と、クロスダイクロイックプリズム２０によって合成された光をスクリーンＳＣＲ等の投写面に投写する投写光学系２２とを有している。光源装置１２は、発光管及びリフレクタを有している。
【００６７】
また、プロジェクタ１は、各液晶装置１８Ｒ，１８Ｇ，１８Ｂを駆動する液晶ドライバ３０と、プロジェクタ１の動作モードを選択する動作モード選択手段としての表示モード選択手段３２と、メニュー画面を生成するメニュー画面生成部３４と、外部機器との接続に用いられる入出力インターフェース部４０と、操作ボタン機能割り当て手段４２と、配設方向識別手段５０と、操作パネル部本体６２及び操作ボタン機能名称表示部材６４を有する操作パネル部６０と、これらの制御を行う制御部３８とを備えている。
【００６８】
操作パネル部６０は、図２及び図３に示すように、複数の操作ボタンが配列された操作パネル部本体６２と、操作パネル部本体６２に配設方向自在に配設され操作ボタン名称を表示する操作ボタン機能名称表示部材６４とを有している。
【００６９】
配設方向識別手段５０は、図３（ａ）及び図３（ｂ）に示すように、操作ボタン機能名称表示部材６４に配設され操作ボタン機能名称表示部材６４の配設方向を識別するために用いる被識別部としての配設方向識別用の突起部５２と、操作パネル部本体６２に配設され配設方向識別用の突起部５２の有無を検出するための検出部としての４つの接触スイッチ５３〜５６とを有している。これにより、４つの接触スイッチ５３〜５６のうちいずれかの接触スイッチが配設方向識別用の突起部５２の有無を検出することで、操作ボタン機能名称表示部材６４の配設方向を容易に識別することが可能となる。
【００７０】
実施形態１に係るプロジェクタ１においては、配設方向識別手段５０によって識別された操作ボタン機能名称表示部材６４の配設方向に係る情報に基づいて、プロジェクタ１を据え置きモード及び天吊りモードのうちいずれの表示モードで使用するかを選択する機能を有する表示モード選択手段３２を備えている。
【００７１】
これにより、図４（ａ）〜図４（ｄ）に示すように、操作ボタン機能名称表示部材６４の配設方向を適宜変更して配設するだけで、自動的に所望の表示モードが選択され正常な向きの画像がスクリーンＳＣＲに表示されることとなる。つまり、メニュー画面からいちいち表示モードを選択し直す必要がなくなるため、表示モードの設定を変更する作業の省力化を図ることができ、ユーザは煩わしさを感じずに表示モードの設定を変更することが可能となる。
【００７２】
このため、実施形態１に係るプロジェクタ１は、プロジェクタの使用環境に応じて表示モードを設定する作業の煩わしさを解消することができ、使い勝手の良いプロジェクタとなる。
【００７３】
実施形態１に係るプロジェクタ１においては、複数の操作ボタンのそれぞれに対して機能を割り当てる操作ボタン機能割り当て手段４２をさらに備えている。そして、操作ボタン機能割り当て手段４２は、配設方向識別手段５０によって識別された操作ボタン機能名称表示部材６４の配設方向に係る情報に基づいて、複数の操作ボタンのそれぞれに対して機能を割り当てる機能を有している。
【００７４】
これにより、例えば図４（ａ）に示すように据え置き状態で使用していたプロジェクタ１を図４（ｃ）に示すように天吊り状態で使用する場合、据え置き状態から天吊り状態へとプロジェクタ１の使用環境が変わったとしても、操作ボタン機能名称表示部材６４の配設方向を適宜変更して配設するだけで、図４（ｂ）及び図４（ｄ）に示すように、ユーザから見た操作ボタンのレイアウトを同じ状態のままとすることが可能となるとともに、操作ボタン機能名称表示部材６４に表示されている名称と複数の操作ボタンのそれぞれに割り当てられた機能とを同じとすることが可能となる。このため、従来のプロジェクタ９における問題点として上述したような、据え置き状態で使用していたものを天吊り状態で使用することによって天吊り状態のときの操作パネル部における上下左右方向と各操作ボタンの配置とが対応しなくなるという問題を解消することができる。すなわち、ユーザは操作ボタンのレイアウトに対して違和感を感じることもなく、また操作ボタンを押す際に不要な混乱を生ずることもなく、煩わしさを感じずに表示モードの設定を変更することが可能となる。
【００７５】
実施形態１に係るプロジェクタ１においては、４つの接触スイッチ５３〜５６によって配設方向識別用の突起部５２が検出されないときに、複数の操作ボタンによる操作の受付けを禁止する操作受付け禁止手段４４（図示せず。）をさらに備えている。
【００７６】
これにより、４つの接触スイッチ５３〜５６によって配設方向識別用の突起部５２が検出されないときに、操作ボタンによる操作の受付けを禁止することが可能となるため、他者によるプロジェクタの誤操作を防止することなどが可能となる。例えば、用事があってユーザがプロジェクタ１から離れてしまうような場合に、操作ボタン機能名称表示部材６４を操作パネル部本体６２から取り外すことによって、たとえ他人が操作ボタンを押したとしてもプロジェクタ１を操作できないようにすることが可能となる。
【００７７】
実施形態１に係るプロジェクタ１においては、操作パネル部本体６２には、操作ボタン機能名称表示部材６４を保持するための４つの保持部６６が形成されている。また、操作ボタン機能名称表示部材６４には、４つの保持部６６に対応する被保持部としての４つの突起部６８が形成されている。
【００７８】
これにより、操作パネル部本体６２に配設された操作ボタン機能名称表示部材６４をより確実に保持することができるようになる。
【００７９】
実施形態１に係るプロジェクタ１においては、図３（ｃ）に示すように、操作ボタン機能名称表示部材６４には、複数の操作ボタンに対応する位置に複数の操作ボタン穴が形成されている。これにより、操作ボタンをスムーズに操作することが可能となり、さらに使い勝手の良いプロジェクタとなる。
【００８０】
また、実施形態１に係るプロジェクタ１においては、図３（ｃ）に示すように、複数の操作ボタン穴は、操作ボタン機能名称表示部材６４において１８０度回転対称に設けられている。これにより、プロジェクタ１の使用状態が変わったとしても、操作ボタン機能名称表示部材６４の配設方向を１８０度回転させて配設することにより、操作ボタンのレイアウトを同じ状態のままとすることが可能となる。このため、ユーザは違和感を感じずに表示モードの設定を変更することが可能となり、さらに使い勝手の良いものとなる。
【００８１】
なお、実施形態１に係るプロジェクタ１においては、配設方向識別手段として、上記した被識別部としての配設方向識別用の突起部５２と、検出部としての４つの接触スイッチ５３〜５６とを有する配設方向識別手段５０を用いているが、本発明はこれに限定されるものではなく、例えば、次のような変形も可能である。
【００８２】
［変形例１］
図５は、実施形態１の変形例１における配設方向識別手段５０Ａを説明するために示す図である。図５（ａ）は操作パネル部６０Ａを示す図であり、図５（ｂ）は操作パネル部本体６２Ａを示す図であり、図５（ｃ）は操作ボタン機能名称表示部材６４Ａを正面から見た図である。
【００８３】
実施形態１の変形例１に係るプロジェクタ１Ａ（図示せず。）は、図５（ａ）〜図５（ｃ）に示すように、配設方向識別手段として、操作ボタン機能名称表示部材６４Ａに配設され操作ボタン機能名称表示部材６４Ａの配設方向を識別するために用いる被識別部としての配設方向識別用の穴５２Ａと、操作パネル部本体６２Ａに配設され配設方向識別用の穴５２Ａの有無を検出するための検出部としての４つの光センサ５３Ａ〜５６Ａとを有する配設方向識別手段５０Ａを用いている。なお、配設方向識別手段以外の構成については実施形態１に係るプロジェクタ１と同じであるため、詳細な説明は省略する。
【００８４】
このように、実施形態１の変形例１に係るプロジェクタ１Ａは、実施形態１に係るプロジェクタ１の場合とは、配設方向識別手段として、被識別部としての配設方向識別用の穴５２Ａと、検出部としての４つの光センサ５３Ａ〜５６Ａとを有する配設方向識別手段５０Ａを用いている点が異なっているが、４つの光センサ５３Ａ〜５６Ａのうちいずれかの光センサが配設方向識別用の穴５２Ａの有無を検出することで、実施形態１に係るプロジェクタ１の場合と同様に、操作ボタン機能名称表示部材６４Ａの配設方向を容易に識別することが可能となる。
【００８５】
また、実施形態１に係るプロジェクタ１においては、操作パネル部として、図２及び図３に示すように、複数の操作ボタンが配列された操作パネル部本体６２と、複数の操作ボタンに対応する位置に複数の操作ボタン穴が形成された操作ボタン機能名称表示部材６４とを有する操作パネル部６０を用いているが、本発明はこれに限定されるものではなく、例えば、次のような変形も可能である。
【００８６】
［変形例２］
図６は、実施形態１の変形例２における操作パネル部６０Ｂを説明するために示す図である。図６（ａ）は操作パネル部６０Ｂを示す図であり、図６（ｂ）は操作パネル部本体６２Ｂを示す図であり、図６（ｃ）は操作ボタン機能名称表示部材６４Ｂを正面から見た図である。
【００８７】
実施形態１の変形例２に係るプロジェクタ１Ｂ（図示せず。）は、図６（ａ）〜図６（ｃ）に示すように、操作パネル部として、複数の操作ボタンが配列された操作パネル部本体６２Ｂと、複数の操作ボタンのうち所定の操作ボタンに対応する位置に複数の操作ボタン穴が形成された操作ボタン機能名称表示部材６４Ｂとを有する操作パネル部６０Ｂを用いている。
【００８８】
実施形態１の変形例２における操作ボタン機能名称表示部材６４Ｂは、図６（ｂ）に示すように、実施形態１における操作ボタン機能名称表示部材６４とは、複数の操作ボタン穴の配列が異なっているが、操作ボタン機能名称表示部材６４Ｂに形成された操作ボタン穴の数や、操作ボタン穴近傍に表示されている操作ボタン名称の種類については、操作ボタン機能名称表示部材６４と同じである。
【００８９】
実施形態１の変形例２における操作パネル部本体６２Ｂは、実施形態１における操作パネル部本体６２とは、操作ボタンの数が異なっている。具体的には、図６（ｂ）に示すように、実施形態１の変形例２における操作ボタン部本体６２Ｂには、実施形態１における操作ボタン部本体６２と比較して、操作ボタンの数が２つ多く形成された構成を有している。これは、操作ボタン機能名称表示部材６４Ｂに形成された複数の操作ボタン穴の配列に起因するものであり、操作ボタン機能名称表示部材６４Ｂの配設方向を変更して操作パネル部本体６２Ｂに配設したとしても必ず操作ボタンを押下可能であるように、操作パネル部本体６２Ｂにおける複数の操作ボタンの配列を工夫したものである。
【００９０】
操作ボタン機能名称表示部材６４Ｂと操作パネル部本体６２Ｂとが上記のような構成を有しているため、実施形態１の変形例２に係るプロジェクタ１Ｂにおいては、複数の操作ボタンのうち所定の操作ボタンのみ押下可能としている。
【００９１】
このため、実施形態１の変形例２に係るプロジェクタ１Ｂによれば、操作ボタン機能名称表示部材６４Ｂの配設方向や種別を変更することにより、押下可能とする操作ボタンを適宜変更することができるようになるため、操作ボタンの機能の割り当てやレイアウトの自由度を高めることができる。
なお、操作パネル部以外の構成については実施形態１に係るプロジェクタ１と同じであるため、詳細な説明は省略する。
【００９２】
［実施形態２］
図７は、実施形態２に係るプロジェクタ２を説明するために示す機能ブロック図である。図８及び図９は、実施形態２に係るプロジェクタ２を説明するために示す図である。図８（ａ）は操作ボタン機能名称表示部材６４Ｃを正面から見た図であり、図８（ｂ）は操作ボタン機能名称表示部材６４Ｃを背面から見た図である。図９（ａ）は操作ボタン機能名称表示部材６４Ｃを図８（ａ）に示す状態で配設したときのスクリーンＳＣＲに表示される画像を示す図であり、図９（ｂ）はそのときの操作パネル部６０Ｃを示す図であり、図９（ｃ）は操作ボタン機能名称表示部材６４Ｃを図８（ｂ）に示す状態で配設したときのスクリーンＳＣＲに表示される画像を示す図であり、図９（ｄ）はそのときの操作パネル部６０Ｃを示す図である。なお、図７において、実施形態１で説明した部材と同一の部材については同一の符号を付し、詳細な説明は省略する
【００９３】
実施形態２に係るプロジェクタ２は、基本的には実施形態１に係るプロジェクタ１と良く似た構成を有しているが、図７に示すように、プロジェクタの動作モードを選択する動作モード選択手段として、表示モード選択手段３２（図１参照。）に代えて、メニュー画面における表示言語を選択する表示言語選択手段３６を備えている点で、実施形態１に係るプロジェクタ１とは異なっている。また、実施形態２に係るプロジェクタ２は、図８（ａ）及び図８（ｂ）に示すように、操作ボタン機能名称表示部材６４Ｃの構成が、実施形態１に係るプロジェクタ１における操作ボタン機能名称表示部材６４とは異なっている。
【００９４】
操作ボタン機能名称表示部材６４Ｃは、図８（ａ）及び図８（ｂ）に示すように、操作ボタン名称が表面側には日本語で表示され、裏面側には英語で表示されていることを特徴としている。この操作ボタン機能名称表示部材６４Ｃは、操作パネル部本体６２Ｃに対して配設方向自在に配設することが可能である。
【００９５】
また、実施形態２に係るプロジェクタ２においては、実施形態１に係るプロジェクタ１の場合と同様に、図７に示すように、操作ボタン機能名称表示部材６４Ｃの配設方向を識別する配設方向識別手段５０を備えている。操作ボタン機能名称表示部材６４Ｃには、図８に示すように、操作ボタン機能名称表示部材６４Ｃの配設方向を識別するために用いる被識別部としての配設方向識別用の突起部５２が配設され、操作パネル部本体６２Ｃには、配設方向識別用の突起部５２の有無を検出するための検出部としての４つの接触スイッチ５３〜５６（図示せず。）が配設されている。これにより、４つの接触スイッチ５３〜５６のうちいずれかの接触スイッチが配設方向識別用の突起部５２の有無を検出することで、操作ボタン機能名称表示部材６４Ｃの配設方向を容易に識別することが可能となる。
【００９６】
表示言語選択手段３４は、配設方向識別手段５０によって識別された操作ボタン機能名称表示部材６４Ｃの配設方向に係る情報に基づいて、スクリーンＳＣＲに表示される画像の表示言語を選択する機能を有している。
【００９７】
メニュー画面生成部３４は、表示言語選択手段３４によって選択された表示言語に基づくメニュー画面を生成する。
【００９８】
このように、実施形態２に係るプロジェクタ２は、動作モード選択手段として、配設方向識別手段５０によって識別された操作ボタン機能名称表示部材６４Ｃの配設方向に係る情報に基づいて、メニュー画面における表示言語を選択する機能を有する表示言語選択手段３４を備えている。
【００９９】
このため、実施形態２に係るプロジェクタ２によれば、操作ボタン機能名称表示部材６４Ｃの配設方向を適宜変更して配設するだけで、自動的に所望の表示言語が選択され、その言語でメニュー画面が表示されることとなる。つまり、メニュー画面からいちいち表示言語を選択し直す必要がなくなるため、表示言語の設定を変更する作業の省力化を図ることができ、ユーザは煩わしさを感じずに表示言語の設定を変更することが可能となる。
【０１００】
このため、実施形態２に係るプロジェクタ２は、プロジェクタの使用環境に応じて表示言語を設定する作業の煩わしさを解消することができ、使い勝手の良いプロジェクタとなる。
【０１０１】
実施形態２に係るプロジェクタ２は、表示モード選択手段３２に代えて表示言語選択手段３４を備えている点及び操作ボタン機能名称表示部材６４Ｃの構成以外の点では、実施形態１に係るプロジェクタ１と同じ構成を有しているため、実施形態１に係るプロジェクタ１が有する効果のうち該当する効果をそのまま有する。
【０１０２】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【０１０３】
（１）上記実施形態２に係るプロジェクタ２においては、操作ボタン機能名称表示部材として、表面側には操作ボタン名称が日本語で表示され、裏面側には操作ボタン名称が英語で表示された操作ボタン機能名称表示部材６４Ｃを用いることとしたが、本発明はこれに限定されるものではない。例えば、操作ボタン機能名称表示部材として、複数の操作ボタンのそれぞれに割り当てられる操作ボタン名称をそれぞれ異なる言語で表示した複数の操作ボタン機能名称表示部材を用いてもよい。そのとき、配設方向識別手段５０は、操作パネル本体に配設されたボタン機能名称表示部材の種別を識別する機能をさらに有するとともに、表示言語選択手段は、配設方向識別手段によって識別された操作ボタン機能名称表示部材の配設方向及び／又は種別に係る情報に基づいて、メニュー画面における表示言語を選択する機能をさらに有することが好ましい。
【０１０４】
これにより、それぞれ異なる言語で表示された複数の操作ボタン機能名称表示部材の中から目的となる表示言語で表示された操作ボタン機能名称表示部材を選択し、これを適切な配設方向で配設するだけで、自動的に所望の表示言語が選択され、その言語でメニュー画面が表示されることとなる。このため、表示言語の設定を変更する作業の省力化を図ることができ、ユーザは煩わしさを感じずに表示言語の設定を変更することが可能となる。
【０１０５】
このため、上記のような変形例に係るプロジェクタは、プロジェクタの使用環境に応じて表示言語を設定する作業の煩わしさを解消することができ、使い勝手の良いプロジェクタとなる。また、多数の国の言語に対して容易に対応することが可能な優れたプロジェクタとなる。
【０１０６】
また、上記のような変形例に係るプロジェクタによれば、操作ボタン名称がそれぞれ異なる言語で表示された複数の操作ボタン機能名称表示部材を有するため、１つの操作ボタン機能名称表示部材に対しては１種類の言語で操作ボタン名称を表示すればよくなる。このため、操作ボタン機能名称表示部材全体の面積に対する操作ボタン名称を表示するために使用する面積を小さくすることができ、各操作ボタンの大きさ及び操作ボタン名称の文字の大きさに関する自由度を増すことができる。例えば、操作ボタンの大きさを大きくすることにより、操作ボタンの操作性を向上することができ、操作ボタン名称の文字の大きさを大きくすることにより、例えば高齢者など視力が低下した人も煩わしさを感じることなく、操作ボタンを容易に操作することができるようになる。このため、変形例に係るプロジェクタは、さらに使い勝手の良いプロジェクタとなる。
【０１０７】
（２）上記実施形態２に係るプロジェクタは、動作モード選択手段として、表示言語選択手段３６を備えているが、本発明はこれに限定されるものではない。例えば、動作モード選択手段として、表示言語選択手段３６に加えて実施形態１で説明した表示モード選択手段３２をさらに備えたプロジェクタもまた好ましい。この場合、実施形態２に係るプロジェクタ２が有する効果に加えて、実施形態１に係るプロジェクタ１が有する効果をさらに有する使い勝手の良い優れたプロジェクタとなる。
【０１０８】
（３）上記各実施形態のプロジェクタ１，２においては、配設方向識別手段として、被識別部としての配設方向識別用の突起部５２と、検出部としての４つの接触センサ５３〜５６とを有する配設方向識別手段５０を用いているが、本発明はこれに限定されるものではない。配設方向識別手段としては、例えば、配設方向識別用の凹部を有する被識別部と、配設方向識別用の凹部の有無及び／又は特徴を検出する公知の検出手段からなる検出部とを有する配設方向識別手段であってもよいし、識別可能な配色が施された被識別部と、被識別部の有無及び／又は特徴を検出する公知の検出手段からなる検出部とを有する配設方向識別手段であってもよい。
【０１０９】
（４）上記各実施形態のプロジェクタ１，２においては、操作パネル部本体６２，６２Ｃに配設された操作ボタン機能名称表示部材６４，６４Ｃをより確実に保持するために、操作パネル部本体６２，６２Ｃには、操作ボタン機能名称表示部材６４，６４Ｃを保持するための保持部６６が形成され、操作ボタン機能名称表示部材６４，６４Ｃには、保持部に対応する被保持部としての突起部６８が形成された構成としているが、本発明はこれに限定されるものではなく、操作パネル部本体６２，６２Ｃに操作ボタン機能名称表示部材を配設することが可能であり、かつ、操作ボタン機能名称表示部材を保持することが可能な公知の保持手段を好ましく用いることができる。
【０１１０】
（５）上記各実施形態のプロジェクタにおいては、動作モード選択手段は、配設方向識別手段によって識別された操作ボタン機能名称表示部材の配設方向種別に係る情報に基づいて、プロジェクタの動作モードを選択する機能を有するようにしているが、本発明はこれに限定されるものではない。動作モード選択手段は、操作ボタン機能名称表示部材の種別を識別する種別識別手段によって識別された操作ボタン機能名称表示部材の種別に係る情報に基づいて、プロジェクタの動作モードを選択する機能を有するようにしてもよい。
【０１１１】
この場合、動作モード選択手段としては、（ア）種別識別手段によって識別された操作ボタン機能名称表示部材の種別に係る情報に基づいて、メニュー画面における表示言語を選択する機能を有する表示言語選択手段、（イ）種別識別手段によって識別された操作ボタン機能名称表示部材の種別に係る情報に基づいて、プロジェクタを簡単操作モード及び詳細操作モードのうちいずれの動作モードで使用するかを選択する機能を有する動作モード選択手段、（ウ）種別識別手段によって識別された操作ボタン機能名称表示部材の種別に係る情報に基づいて、プロジェクタを設定モード及び通常使用モードのうちいずれの動作モードで使用するかを選択する機能を有する動作モード選択手段などを好ましく例示することができる。
【０１１２】
（６）上記各実施形態のプロジェクタ１，２は、透過型の電気光学変調装置を用いた透過型のプロジェクタであるが、本発明はこれに限定されるものではなく、反射型の電気光学変調装置を用いた反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。
【０１１３】
（７）上記各実施形態のプロジェクタ１，２は、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【図面の簡単な説明】
【０１１４】
【図１】実施形態１に係るプロジェクタ１を説明するために示す機能ブロック図。
【図２】実施形態１に係るプロジェクタ１を説明するために示す図。
【図３】実施形態１に係るプロジェクタ１を説明するために示す図。
【図４】実施形態１に係るプロジェクタ１を説明するために示す図。
【図５】実施形態１の変形例１における配設方向識別手段５０Ａを説明するために示す図。
【図６】実施形態１の変形例２における操作パネル部６０Ｂを説明するために示す図。
【図７】実施形態２に係るプロジェクタ２を説明するために示す機能ブロック図。
【図８】実施形態２に係るプロジェクタ２を説明するために示す図。
【図９】実施形態２に係るプロジェクタ２を説明するために示す図。
【図１０】従来のプロジェクタ９における問題点を説明するために示す図。
【符号の説明】
【０１１５】
１，２，９…プロジェクタ、１０…投写光学ユニット、１２…光源装置、１４…照明装置、１６…色分離導光光学系、１８Ｒ，１８Ｇ，１８Ｂ…液晶装置、２０…クロスダイクロイックプリズム、２２…投写光学系、３０，３０Ｃ…液晶ドライバ、３２…表示モード選択手段、３４…メニュー画面生成部、３６…表示言語選択手段、３８…制御部、４０…入出力インターフェイス部、４２…操作ボタン機能割り当て部、５０，５０Ａ…配設方向識別手段、５２…配設方向識別用の突起部、５２Ａ…配設方向識別用の穴、５３，５４，５５，５６…接触スイッチ、５３Ａ，５４Ａ，５５Ａ，５６Ａ…光センサ、６０，６０Ａ，６０Ｂ，６０Ｃ…操作パネル部、６２，６２Ａ，６２Ｂ，６２Ｃ…操作パネル部本体、６４，６４Ａ，６４Ｂ，６４Ｃ…操作ボタン機能名称表示部材、６６…保持用の突起部、６８…被保持部、９０…筐体
【図１】
2006349893.tif 000003
【図７】
2006349893.tif 000004
【図２】
2006349893.tif 000005
【図３】
2006349893.tif 000006
【図４】
2006349893.tif 000007
【図５】
2006349893.tif 000008
【図６】
2006349893.tif 000009
【図８】
2006349893.tif 000010
【図９】
2006349893.tif 000011
【図１０】
2006349893.tif 000012